(57)【特許請求の範囲】
【請求項１】
コンピュータープログラムを制御する方法であって、光学マーカーが口腔内スキャナ（１）によって検出されると、前記コンピュータープログラムを所定の状態に切り替える制御信号が前記コンピュータープログラムに送られ、前記コンピュータープログラムは、ＣＡＤ／ＣＡＭプログラムであり、前記所定の状態は、画像フィールドの変更、画像領域の削除、画像計算、修復計算又は患者の名前の入力であり、
前記光学マーカーは、走査体（６）に貼付され、
前記走査体（６）は、顎の中の歯科インプラント延長部として配置される、
方法。
【請求項２】
前記光学マーカー（２ａ、２ｂ、２ｃ、２ｄ）は、二次元バーコードであることを特徴とする、請求項１に記載の方法。
【請求項３】
コンピュータープログラムを制御する方法であって、光学マーカーが口腔内スキャナ（１）によって検出されると、前記コンピュータープログラムを所定の状態に切り替える制御信号が前記コンピュータープログラムに送られ、前記コンピュータープログラムは、ＣＡＤ／ＣＡＭプログラムであり、前記所定の状態は、画像フィールドの変更、画像領域の削除、画像計算、修復計算又は患者の名前の入力であり、
前記光学マーカーは、走査体（６）からなり、
前記走査体（６）は、顎の中の歯科インプラント延長部として配置される、
方法。
【請求項４】
前記光学マーカー（２ａ、２ｂ、２ｃ、２ｄ）は、二次元バーコードであることを特徴とする、請求項３に記載の方法。
【発明の詳細な説明】
【技術分野】
【０００１】
本発明は、コンピュータープログラム、並びに口腔内スキャナによってコンピュータープログラムを制御するための方法及び装置に関する。それに加えて、本発明は、本発明に従うコンピュータープログラムを記憶するデータ媒体に関する。更に、本発明は、コンピュータープログラムを制御するための口腔内スキャナの使用、及び口腔内スキャナを備え、光学マーカーが口腔内スキャナによって検出されたときに制御信号を発生するように設計されている装置の使用に関する。
【背景技術】
【０００２】
口腔内走査システムによって、歯科医は、連続記録方法によって、又は２、３の個別の画像を記録することによって口腔の三次元表示を作成することができる。手持ち式カメラの先端部は、それによって、記録されるべき歯の上方のわずかに離れたところに誘導される。三次元モデルは、ＣＡＤ／ＣＡＭソフトウェア（コンピュータ利用設計／コンピュータ支援製造）を使用して、カメラによって編集されたデータから作成することができる。これは、次に修復の基礎として使用することができる。
【０００３】
かかる口腔内走査システムを使用するとき、作業を実行する歯科医は、典型的には、自身の手に口腔内走査カメラを持ち、手袋を着用し、患者の口腔と接触し、その結果、手袋が唾液又は血液で濡れる。歯科医が、それと同時にＣＡＤ／ＣＡＭソフトウェアを操作したいと思うと、歯科医は、ソフトウェアを実行するコンピュータのマウス、キーパッド又はタッチスクリーンを自身の手によって汚し、そこから患者の口の中に微生物を持ち込みさえする可能性がある。各々のコンピュータシステム上の入力インターフェースを介して制御することを必要としないＣＡＤ／ＣＡＭソフトウェアの非接触制御のための既知の方法はない。音声制御がかかるシステムに対して利用できない理由は、音声制御が歯科医が着用する口保護具、及び歯科医のオフィスの中の避けることができない周囲雑音に起因する問題に影響されやすいからであり、そのことは必要ならば最初に認識されなければならないであろう。
【発明の概要】
【発明が解決しようとする課題】
【０００４】
本発明の目的は、したがって、歯科医療分野においてソフトウェアの非接触制御を可能にすることであり、歯科医は自身の手からカメラ又は別のスキャナを離す必要がない。
【課題を解決するための手段】
【０００５】
この目的は、コンピュータープログラムを制御するための本発明に従う方法によって達成され、光学マーカーが口腔内スキャナによって検出されると、制御信号がコンピュータープログラムに送られて、コンピュータープログラムを所定の状態に切り替える。スキャナは、具体的には、２Ｄカメラ又は３Ｄスキャナである。コンピュータープログラムは、ＣＡＤ／ＣＡＭプログラムである。
【０００６】
所定の状態は、画像フィールドの変更、画像領域の削除、画像計算、修復計算、及び患者の名前の入力からなる群から選択される。歯科医は、このように、自身の手から口腔内スキャナを離すことなく、ＣＡＤ／ＣＡＭプログラムの機能を制御することが可能である。したがって、例えば画像を記録するとき、歯科医は、口腔内スキャナをこの状態に割り当てられたマーカーに向けることによって画像フィールドを変更することができる。歯科医は、このように、口腔内スキャナをこの状態に割り当てられたマーカーに向けることによって、画像フィールドを変更することも可能である。したがって、歯科医が画像フィールドの検出と画像領域の削除との間で変更することも可能である。三次元画像計算又は歯の修復計算は、また、このようにして開始することができる。光学マーカーが、少なくとも１つの光学マーカーを有するキャリアーに貼付することが、この場合好ましい。作業中、歯科医は、例えば全ての所定の状態に対する光学マーカーを有するタブレットを所持してもよく、それにより、歯科医は、口腔内スキャナを各々の状態に割り当てられたマーカーに向けることによってそれらを変更することができる。追加の光学マーカーを患者カルテ情報に貼付することができ、例えば、それにより、口腔内スキャナを患者カルテ情報上のマーカーに向けることによって、患者の名前をコンピュータープログラムに入力することが可能である。本発明によれば、患者カルテ情報上のかかるマーカーは、また、歯科医の診療において使用される他のコンピュータープログラムによって認識することができる。したがって、例えば、スマートフォン又はタブレットコンピュータのカメラは、対応するアプリケーション（アプリ）の助けを借りてマーカーをスキャンすることができ、歯科医が直接、患者データ記録にアクセスすること、例えば、この場合はローカルに若しくはインターネットを介してアクセスすること、又は、マーカーと関連付けられた放射線医学ソフトウェア若しくはその医師の治療／患者管理ソフトウェアの各々の患者カルテ情報を開くことを可能にできる。
【０００７】
光学マーカーは、好ましくは二次元バーコードである。これは、ソフトウェア自体によって生成されるか、又はインポートすることができる。外部で生成されたラベルに基づくバーコードを、このラベルを口腔内スキャナによって一回走査することによって知ることも可能である。かかる外部で生成されたラベルは、例えば、患者管理ソフトウェアに由来してもよい。本発明のこの実施形態において、患者カルテ情報は、処置の開始において紙形式で準備され、医師が、口腔内スキャナをそこに添付された二進コードの上を通過させて、対応する患者がコンピュータープログラムにおいて自動的に開かれる。かかるバーコードは、それが次に患者カルテ情報に添付することができるように、任意の２Ｄラベルプリンターにおいて印刷することができる。
【０００８】
それに加えて、本発明によれば、光学マーカーは走査体に貼付するか、又は走査体からなることが可能である。走査体は、例えば、米国特許出願公開第２００８／０２３３５３７（Ａ１）号に記載されているような二進コードを備えている走査体であってもよい。顎の中のインプラントの型式を決定するために、ユーザーは、ソフトウェアの対応する領域の従来のＣＡＤ／ＣＡＭ走査によって、手動でインプラントの正しい型式を選択しなければならない。インプラントの位置を決定するために、走査データの中の取付けられた走査体の特定の三次元構造を検索し、次にその下にあるインプラントの位置及び向きを決定するアルゴリズムが通常使用される。例えば、走査体がその色及び／又はパターン構成のために光学マーカーとして使用されるならば、下にあるインプラントの型式は、本発明にしたがって自動的に決定することができる。例えば、二次元バーコードの形式の光学マーカーを、走査体の表面に貼付することも可能である。走査体に対応するインプラントが検出されたデータ記録の中に組み込まれた状態にコンピュータープログラムを切り替えることに加えて、本発明によれば、例えば、走査が口の他の領域における分解能と異なる、好ましくはより高い分解能によって実行される状態にコンピュータープログラムを切り替えることも可能である。それに加えて、このように、コンピュータープログラムを構築モードに切り替えるか、又は提案計算を開始することが可能である。かかる提案計算は、特に短縮形の単一の橋脚歯の自動生成、全体形の単一の橋脚歯、ネジで固定されたバー又はブリッジのためのポスト要素、又は単一層若しくは複数層の修復に関する決定についての自動生成を可能にする。走査体は、また、歯肉に貼付することができ、走査体又は走査体上の光学マーカーを検知すると、コンピュータープログラムは、穿孔場所がモデル走査の後に造られるべき穿孔テンプレートに記録されるか又は画定される状態に切り替えられる。本発明に従う方法は、したがって、コンピュータープログラムを制御するために口腔内スキャナの使用を可能にする。
【０００９】
本発明は、また、コンピュータープログラム、特にＣＡＤ／ＣＡＭプログラムに関し、それは、本発明に従う方法によって制御することができる。コンピュータープログラムは、好ましくは、少なくとも１つの光学マーカーをモニター上に示すように設定され、光学マーカーは、コンピュータープログラムが口腔内スキャナによって光学マーカーを検出することによって切り替えられることができるコンピュータープログラムの状態を示す題銘を有している。したがって、コンピュータープログラムを制御するための光学マーカーを、例えば、ＣＡＤ／ＣＡＭシステムのモニター上に表示することが可能であり、それにより、歯科医は、口腔内スキャナを使用してマーカーをそこで検出することができる。あるいは、表示は、また、別個のシステム、例えばタブレットコンピュータなどに示されてもよい。題銘は、テキスト又はグラフィックによって、コンピュータープログラムが口腔内スキャナを対応する光学マーカー上に誘導するとコンピュータープログラムが切り替えられる状態を歯科医に示す。アナログ媒体上に光学マーカーを提供することとは対照的に、この場合、１つの光学マーカーを選択することによって、いくつかの光学マーカーが隠され、他の光学マーカーが示されるようにメニュー構成を作成することが可能であり、その結果、コンピュータープログラムを制御するための光学マーカーが理解可能な態様で歯科医に提示することができる。
【００１０】
本発明は、本発明に従うコンピュータープログラムを記憶するデータ媒体に更に関する。
【００１１】
更に、本発明は、少なくとも１つの光学マーカーが配列されたキャリアーを備えているコンピュータープログラムを制御するための装置に関する。キャリアーは、例えば、積層の添付書類であってもよい。それぞれの光学マーカーは、コンピュータープログラムが口腔内スキャナによって光学マーカーを検出することによって切り替えられることができるコンピュータープログラムの状態を示す題銘を有する。光学マーカーは、この場合、好ましくは二次元バーコードである。
【００１２】
口腔内スキャナとコンピュータとは、これらにおいて本発明に従うコンピュータープログラムが動作しているが、本発明にしたがって一つのセットとして提供することができる。このセットは、好ましくは、コンピュータープログラムを制御するために、本発明に従う装置も含む。
【００１３】
口腔内スキャナを備えている装置は、光学マーカーが口腔内スキャナによって検出されると制御信号を生成するように、本発明にしたがって設計されてもよい。
【図面の簡単な説明】
【００１４】
本発明の例示的実施形態は、図面に表されており、以下の記述においてより詳細に説明される。
【図１】口腔内カメラ、及び本発明に従う方法の実施形態において使用するためのコンピュータープログラムを制御する装置を示す。
【図２】本発明の一実施形態に従うコンピュータープログラムによってモニター上に生成されたいくつかの二次元バーコードを示す。
【図３】本発明の一実施形態における顎の中の走査体の配列を示す。
【図４】本発明の一実施形態における患者カルテ情報の二次元バーコードの配列を示す。
【発明を実施するための形態】
【００１５】
本発明の一実施形態において、ＣＡＤ／ＣＡＭプログラムは、歯修復のデジタル成形及び製作のための装置（例えば、出願人のＣＥＲＥＣ  ＡＣ＋ＭＣ  ＸＬ）上で動作する。口腔内３Ｄカメラ１は、図１に示されているが、デジタル成形のための走査システムとして用いられる。ＣＡＤ／ＣＡＭプログラムは、口腔内カメラ１が二次元バーコード２ａ、２ｂ、２ｃの形式の光学マーカーを検出すると、様々な状態、例えば、画像フィールドの検出、画像領域の削除、画像計算、修復計算、及び患者名の入力などの間で切り替わるように設定される。二次元バーコード２ａ、２ｂ、２ｃは、切替え状態を起動させるための積層シート３に貼付される。それぞれの二次元バーコード２ａ、２ｂ、２ｃは、題銘２１ａ、２１ｂ、２１ｃを有し、その題銘から歯科医が各々の二次元バーコード２ａ、２ｂ、２ｃが割り当てられた切替えプロセスを確認することができる。積層シート３は、ＣＡＤ／ＣＡＭプログラムを制御する装置として用いられ、デジタル成形の間、歯科医によって作業面上に置くことができるか、又はＣＡＤ／ＣＡＭシステムのモニター上にもってくることができる。ＣＡＤ／ＣＡＭプログラムは、また、題銘２１ａ、２１ｂ、２１ｃと共に、所定の状態を切り替えるための二次元バーコード２ａ、２ｂ、２ｃをＣＡＤ／ＣＡＭシステム４のモニター４１上に表示するように設定される。このことは、図２において説明される。ＣＡＤ／ＣＡＭシステム４は、光学マーカーが口腔内カメラによって検出されると、制御信号を生成するように設計されている。
【００１６】
それに加えて、ＣＡＤ／ＣＡＭプログラムは、図３に示される顎５の中に口腔内カメラ１によって検出された走査体６を識別すると、所定の状態に切り替わるように設定され、走査体は、走査体６の下の顎５の中に位置するインプラントの上のインプラント延長部として配列される。走査体６を検知すると、ＣＡＤ／ＣＡＭプログラムは、歯科医によって事前に決定することができる状態に切り替えられる。これは、例えば、走査に由来する三角形網が走査に由来する他の画像データと異なる解像度を経ている状態でありえる。
【００１７】
口腔内３Ｄカメラ１によって検出された画像の中に二次元バーコード２ａ、２ｂ、２ｃ又は走査体６を認識することは、画像フィルタ方法、及び／又は、画像空間における微分画像の作成、周波数空間への伝送、類似のパターン、周波数若しくは信号の検索のような比較演算によって画像の中の既知の光学マーカーを検索する解析的方法、又は統計的方法によって行われる。
【００１８】
バーコード２ａ、２ｂ、２ｃ又は走査体６が、画像データの中で光学マーカーとして認識されるならば、光学マーカーに割り当てられた機能が、コンピュータープログラムに記憶されている決定表に基づいて開始される。光学マーカーが画像データの中で全く認識されないならば、口腔内３Ｄカメラ１の走査モードが作動中である限り、画像データはコンピュータープログラム、例えば、三次元散乱プロット又は深度画像走査プロセスにおいて生じる走査プロセスに転送され、そこで画像データは後の三次元修復及びモデル計算のために記憶される。
【００１９】
ＣＡＤ／ＣＡＭプログラムを、口腔内カメラ１によって検出されたデータが特定の患者に割り当てられた状態に切り替えることは、口腔内カメラ１が、題銘２１ｄを備え、患者カルテ情報７に貼付された二次元バーコード２ｄに向けられる本発明のこの実施形態において可能である。このことは、図４に示されている。
【００２０】
修復物が、歯科技工室から歯科医に送り返されたＣＡＤ／ＣＡＭプログラムからのデータに基づいて準備されるとき、このデータに患者／修復ＩＤを運ぶ二次元バーコード２を提供することも可能であり、このとき、かかるバーコードは、修復物に随伴するか、又は包装に添付されている。修復作業を受けている歯科医は、次に口腔内カメラ１によってバーコード２を入力して、ＣＡＤ／ＣＡＭプログラムに手動で入力する必要なしに、技工室にデジタルで転送される前にＣＡＤ／ＣＡＭプログラムにおいて命令を再開することができる。
【００２１】
本発明のこの実施形態及びそれを制御するための方法によると、ＣＡＤ／ＣＡＭプログラムは、このように、コンピュータープログラムを制御するための装置としてのキャリア３上に表示されるバーコード２ａ、２ｂ、２ｃ、又はモニター４１上に表示されるバーコード２ａ、２ｂ、２ｃ及び患者カルテ情報７に選択的に表示されるバーコード２ｄと連携して、ＣＡＤ／ＣＡＭソフトウェアの非接触制御を可能にし、このとき、歯科医は、口腔内カメラ１を自身の手から離す必要がない。
【図１】
0006677512.tif 000002
【図２】
0006677512.tif 000003
【図３】
0006677512.tif 000004
【図４】
0006677512.tif 000005